(57)【要約】【課題】ケーキや薬品等のワンタッチ（ワンプッシュ）で開閉できるフラップ付包装容器を開発したい。また使い捨てが常識の、スーパー等で売られているボックスティッシュ包装容器でおなじみの取り出し口が主に表面が2枚のフラップで構成されている包装容器を簡単な作業で詰め替えティッシュの包装容器等として再利用できるようにし、ワンタッチ（ワンプッシュ）で包装容器の詰め替え口の開閉ができるようにしたい。またキャラクターの形をしたフラップ等の開閉スイッチ等楽しい包装容器を作成したい。【解決手段】  包装容器の取り出し口である端側面を構成する下フラップに切り込み線を入れ舌片を作り、上フラップが下フラップの舌片とその他の部分で上フラップを挟みこまれるようにし、また、この包装容器自体の端側面の羽部の弾力性、復元力を利用し、羽部を指一本で、ワンタッチ（ワンプッシュ）で押すことで、上下フラップの開閉が自在にできるようにした。【選択図】  図２
2013082497.tif 000002
【特許請求の範囲】
【請求項１】
相向かいながら互いに重なる部分を持つ二つの羽部で取り出し口を形成された包装容器において、一方の羽部に、切り込み線によって他方の羽部に向けた挟み込み片を形成し、当該挟み込み片（の裏面）と周囲の羽部（の表面）で、他方の羽部を挟み込むことを特徴とする包装容器。
【請求項２】
請求項１における包装容器において、挟み込み片の先端部より挟み込み片を形成する切り込み線の両端部につながるそれぞれの切り込み線上に、他方の羽部の上縁部と重なる位置があることを特徴とする包装容器。
【請求項３】
請求項１あるいは請求項２における包装容器において、二つの羽部の両側に、別の相向かいあう二つの羽が内側に形成されていることを特徴とする包装容器。
【請求項４】
相向かいながら互いに重なる部分（Ｚ）をもつ二つの羽部で取り出し口を構成された包装容器において、一方の羽部に切り込み線が入れられていて、部分（Ｚ）の範囲に含まれる当該切り込み線において根元部から遠ざかりながらまた根元部に近づく部分（Ｘ）が含まれ、当該部分（Ｘ）を構成する両端部が、少なくとも他方の羽部の上縁部と重なる位置まで延びていることを特徴とする、内容物を出し入れできる包装容器。
【請求項５】
請求項４において、部分（Ｘ）が一方の羽部の上縁部と接することを特徴とする、内容物を出し入れできる包装容器。
【請求項６】
請求項４あるいは請求項５において、切り込み線の部分（Ｘ）が上縁部から根元部に向かって、切り込み線で挟まれた部分の間隔が広がるように設置されていることを特徴とする、内容物を出し入れできる包装容器。
【請求項７】
請求項４あるいは請求項５あるいは請求項６において、切り込み線の部分（Ｘ）が上縁部から根元部に向かって、切り込み線で挟まれた部分の間隔が広がるように設置され、さらに引き続いて狭くなるように設置されていることを特徴とする、内容物を出し入れできる包装容器。
【請求項８】
請求項４あるいは請求項５あるいは請求項６あるいは請求項７において、相向かいあう二つの羽部とは開閉方向の異なる二つの羽部を、包装容器よりの内側に設けたことを特徴とする、内容物を出し入れできる包装容器。
【請求項９】
相向かいながら互いに重なる部分を持つ二つの羽部で取り出し口を形成された包装容器において、一方の羽部に、切り込み線によって他方の羽部に向けた挟み込み片を形成し、当該挟み込み片（の裏面）と周囲の羽部（の表面）で、他方の羽部を挟み込むことを特徴とする包装容器。
【請求項１０】
請求項９における包装容器において、挟み込み片の先端部より挟み込み片を形成する切り込み線の両端部につながるそれぞれの切り込み線上に、他方の羽部の上縁部と重なる位置があることを特徴とする包装容器。
【請求項１１】
請求項９あるいは請求項１０における包装容器において
挟み込み片の先端部から根元部に向かって、挟み込み片の間隔が広がるように設置されていることを特徴とする、内容物を出し入れできる包装容器。
【請求項１２】
請求項９あるいは請求項１０あるいは請求項１１における包装容器において
挟み込み片の先端部から根元部に向かって、挟み込み片の間隔が広がるように設置され、かつ他方の羽部の上縁部と重なる位置に向け、間隔が狭くなるように設置されていることを特徴とする内容物を出し入れできる包装容器。
【請求項１３】
請求項９あるいは請求項１０あるいは請求項１１あるいは請求項１２における包装容器において、
二つの羽部の両側に、別の相向かいあう二つの羽が内側に形成されていることを特徴とする包装容器。
【請求項１４】
相向かいながら互いに重なる部分を持つ二つの羽部で取り出し口を形成された包装容器において、一方の羽部に、切り込み線によって他方の羽部に向けた挟み込み片を形成し、当該挟み込み片と周囲の羽部で、他方の羽部を挟み込むことを特徴とする包装容器。
【請求項１５】
請求項１４における包装容器において、挟み込み片の先端部より挟み込み片を形成する切り込み線の両端部につながるそれぞれの切り込み線上に、他方の羽部の上縁部と重なる位置があることを特徴とする包装容器。
【請求項１６】
請求項１４あるいは請求項１５における包装容器において
挟み込み片の先端部から根元部に向かって、挟み込み片の間隔が広がるように設置されていることを特徴とする、内容物を出し入れできる包装容器。
【請求項１７】
請求項１４あるいは請求項１５あるいは請求項１６における包装容器において
挟み込み片の先端部から根元部に向かって、挟み込み片の間隔が広がるように設置され、かつ他方の羽部の上縁部と重なる位置に向け、間隔が狭くなるように設置されていることを特徴とする内容物を出し入れできる包装容器。
【請求項１８】
請求項１４あるいは請求項１５あるいは請求項１６あるいは請求項１７における包装容器において、
二つの羽部の両側に、別の相向かいあう二つの羽が内側に形成されていることを特徴とする包装容器。
【発明の詳細な説明】
【技術分野】
【０００１】
本発明は、包装容器に関する。
【背景技術】
【０００２】
本願発明のワンプッシュ開閉フラップ付包装容器を適用する商品の代表例としてティッシュボックス包装容器がある。本願発明をティッシュボックスを例に説明する。
ティッシュボックス包装容器は紙製のカートン等で通常作られていて、端側面の上下フラップが互いに重なる部分を持ちながら、液状ノリで当該重なる部分を貼り合わせて作られている。消費者は、中のティッシュを消費しつくした時、この包装容器を端側面の上下フラップに付けられたノリをはがし、ノリをはがすと汚くなることから、包装容器を壊して、ゴミとして捨てることになる。つまり、上下フラップの重ねられた部分のノリをはがすと、あとが汚くなり、再度上下フラップを蓋として端側面を封じようとすると、再度のりで貼るか、または包装容器の外側から、上下フラップの重ねあわされた部分をセロテープ (登録商標)等で上から貼るしかない。
【０００３】
前述したティッシュを消費つくし、ティッシュを詰めかえてノリで貼り合わせる方法だと、中のティッシュを再度消費しつくした時、貼り合わさせられたノリを再度剥ぐことになり、このノリで貼り合わされた部分がさらにだんだん汚くなる。またひいては包装容器が剥ぐたびにこの貼りあわせられた部分が壊れてしまい、包装容器の表面まで、破損してしまうことになる。
【０００４】
また次のセロテープ(登録商標)を貼ることに関して申し上げると、貼ること自体が、セロテープ(登録商標)が外面に見えて、見栄えが良くない。
【０００５】
よってほとんどのスーパー等で売られているティッシュは、1回消費しつくされた段階で、包装容器の再利用は不可能として、ゴミとして捨てられる。またはリサイクルと称して、回収されて、リサイクル工場で、紙の原料として、ドロドロに溶かされて、再度紙に抄かれて、カートン等になり、そのカートンに印刷されて、箱に作られて、包装容器になり、それにティッシュが入れられて、スーパーにティッシュボックスとして陳列される。
【０００６】
つまり最初に消費つくされて残った包装容器が、つまり全く同じ包装容器が、生産上回り道をして消費者の手元に届くことになる。
とてもとても回り道の生産方法である。こんなリサイクルは「省エネルギー」でも「省資源」でもない。「エネルギーの無駄遣いである」といえないだろうか。
私の考えるに、一度使い切ったティッシュの包装容器に、詰め替え用ティッシュだけを買って、いれればいい、つまり包装容器は繰り返し使えばいいだけだと思う。ただ、今のノリで貼り合わされた包装容器を、簡便に使いまわせる方法がみつからないだけである。
【０００７】
ティッシュ包装容器のエコ仕様に関しては、様々な観点から改良が重ねられている。（特許文献１乃至２参照）。ただそのおもな方向性は、取り出し口にフイルムを使わないで、取り出し性能を高めるという方向性であり、前述した包装容器のリユース（再利用）を論じたものではない。
特に、近年においては、省電力、エコが日常生活のあらゆる場面で求められることもあり、この包装容器の再利用を考慮した、よりユーザーフレンドリー（ワンプッシュで開閉できる等を含む）な構造を消費者に提案することが強く望まれている。
【０００８】
さて、特許文献１及特許文献２には、フイルムレスのボックスティッシュが開示されている。現在、ティッシュボックスは、生活のあらゆる場面にて使用されているが、特許文献１のように、フイルムレスのものや、取り出し口にフイルムを貼って、分別回収のためにフイルムをはがしやすくしたものがある。いずれにしても、スーパーで売られている大量のティッシュボックス包装容器は、ほとんど使い捨ての考えで、使い終わった包装容器は、その殆どが１回使われたらそのままゴミとして捨てられる。
【０００９】
この使い捨てるという資源の無駄遣いを避けるために、詰め替え式のティッシュボックスが開発されている。しかしそれはハード包装容器（プラスチック、木材）等で出来ていて、値段が高く、すぐ普及するにはまだまだ難しい問題がある。
【先行技術文献】
【特許文献】
【００１０】
【特許文献１】許開２００８−１８４１６１号公報
【特許文献２】特開２０１０−１１６１９３号公報
【発明の開示】
【発明が解決しようとする課題】
【００１１】
以下論じる「フラップ」と「羽」は同義語とする。「羽部に入れられた切り込み」とは「羽部の中央部あるいは上縁部あるいは根元部に入れられる切り込み」を含めて「羽部に入れられた切り込み」と呼ぶことにする。
【００１２】
現在ティッシュボックスは、生産メーカーにより多少違うが、１分間に５００個ほど生産できるハイスピードマシーンで作られており、包装容器の端側面は、１端側面が左右辺から延びる内フラップ２枚と、上下（天地）辺から延びる外フラップ２枚の計４枚のフラップで構成されている。上下左右は後述する端側面の図をもとに表現されている。
この構成で注意しなければならないことは、外観上の見栄えからか、上フラップが箱を外側から見て必ず一番外側に位置しているということである。よってこの点を考慮して端側面の図を見てほしい。
また詳しく申し上げると、一般的に半フラップと呼ばれる箱の高さの半分ほどより若干長いフラップを上下から組み合わせて、その上下フラップにまた幾分かの重ねあわせの部分を設けてつくられている。また一部には、全フラップと言って、上フラップと下フラップが、箱の高さにそれぞれなっており、重なる部分が、箱の高さそのものというものもある。
また、全両者の中間に近いものがある。（つまり、半フラップと全フラップンの中間の長さ）
【００１３】
さて、小生は根っからの「モッタイナイ」癖か、一度使ったまだきれいな包装容器をそのまま捨てることにおおきな抵抗を感じていた。
ただし、この使い捨て包装容器を再利用しようとしても、なかなかうまくいかなかった。
【００１４】
というのは、前述したが、まず、包装容器を破り開けてティッシュを挿入し、そのあと蓋を締めようとしてノリで貼ると、ノリが乾く時間を待たなければならない。このあいだノリを付けた部分を指等で押さえていなければならない。また次回再度ティッシュを入れ替えようとすると、再度ノリで貼られた部分を引き破って、前回と同じ作業をしなければならない。また前回と同じようにノリの乾く時間を待たなければならない。そしてこの作業をやるたびに前述したが包装容器は傷んでくる。
また別の方法として、詰め替え用ティッシュをいれたあと外側からセロテープ(登録商標）ではるという方法もあるが、セロテープ(登録商標）が外観上目立って見栄えがよくない。これは人気がない。
【００１５】
スーパーで売られているボックスティッシュは、生産機械の特性から、上下のフラップがノリで張り合わされているので、初回の詰替作業のとき、貼り合わせ部分を手ではがす手間をしなければいけないことは致し方ないが、（消費者は、包装容器を潰す時、必ずこの作業は強いられている）詰替ティッシュを中に入れたあと、上下フラップを閉じるときの作業で、フラップが簡単な手作業（ワンタッチ）で組立できないか、また２回目の詰替作業のとき、組み合わされた上下フラップを簡単に外せないかということが課題であり、目標である。
【００１６】
また、このティッシュボックスの端側面の開閉フラップは、その開閉作業そのものは、前回でも明記したが、中に出し入れする内容物（ここではティッシュを例に説明しているが）とは全く関係ない。また「取り付け位置も上面、底面でも構わない」とした。つまり中身が薬でも、ケーキでも、小物でいいという意味である。「内容物に関係なく」、また「取りつけ位置の場所にも関係なく」、その開閉時のフラップに置ける作業性の簡便さを追求するものである。誤解のないように重ねて説明するが、ポップアップのティッシュボックスの上面取り出し口等は、
【特許文献２】特開２０１０−１１６１９３号公報に示されるように、上面フラップが実際ティッシュと接触することが前提で、ティッシュの動きが、フラップにより規定される。よって取り出される内容物により、フラップも影響を受け、フラップと内容物とは無関係とは言えない。ただし、本願発明においては、端側面のフラップを開閉することと内容物との直接的接触の関係性はない。よって本願出願では、総称して、内容物を出し入れすることのできる「包装容器」に関することとし、発明の名称を、「ワンプッシュ開閉フラップ付包装容器」とした。ワンプッシュとは、ワンタッチのイメージもある。
【課題を解決するための手段】
【００１７】
相向かいながら互いに重なる部分を持つ二つの羽部で取り出し口を形成された包装容器において、一方の羽部に、切り込み線によって他方の羽部に向けた挟み込み片を形成し、当該挟み込み片（の裏面）と周囲の羽部（の表面）で、他方の羽部を挟み込むことを特徴とする包装容器ＡＡが望ましい。
包装容器ＡＡにおいて、挟み込み片の先端部より挟み込み片を形成する切り込み線の両端部につながるそれぞれの切り込み線上に、他方の羽部の上縁部と重なる位置があることを特徴とする包装容器ＢＢが望ましい。
包装容器ＡＡあるいは包装容器ＢＢにおいて、二つの羽部の両側に、別の相向かいあう二つの羽が内側に形成されていることを特徴とする包装容器ＣＣが望ましい。
相向かいながら互いに重なる部分（Ｚ）をもつ二つの羽部で取り出し口を構成された包装容器において、一方の羽部に切り込み線が入れられていて、部分（Ｚ）の範囲に含まれる当該切り込み線において根元部から遠ざかりながらまた根元部に近づく部分（Ｘ）が含まれ、当該部分（Ｘ）を構成する両端部が、少なくとも他方の羽部の上縁部と重なる位置まで延びていることを特徴とする、内容物を出し入れできる包装容器ＤＤが望ましい。  
包装容器ＤＤにおいて、部分（Ｘ）が一方の羽部の上縁部と接することを特徴とする、内容物を出し入れできる包装容器ＥＥが望ましい。
包装容器ＤＤあるいは包装容器ＥＥにおいて、切り込み線の部分（Ｘ）が上縁部から根元部に向かって、切り込み線で挟まれた部分の間隔が広がるように設置されていることを特徴とする、内容物を出し入れできる包装容器ＦＦが望ましい。
包装容器ＤＤあるいは包装容器ＥＥあるいは包装容器ＦＦにおいて、切り込み線の部分（Ｘ）が上縁部から根元部に向かって、切り込み線で挟まれた部分の間隔が広がるように設置され、さらに引き続いて狭くなるように設置されていることを特徴とする、内容物を出し入れできる包装容器ＧＧが望ましい。
包装容器ＤＤあるいは包装容器ＥＥあるいは包装容器ＦＦあるいは包装容器ＧＧにおいて、相向かいあう二つの羽部とは開閉方向の異なる二つの羽部を、包装容器寄りの内側に設けたことを特徴とする、内容物を出し入れできる包装容器ＨＨが望ましい。
相向かいながら互いに重なる部分を持つ二つの羽部で取り出し口を形成された包装容器において、一方の羽部に、切り込み線によって他方の羽部に向けた挟み込み片を形成し、当該挟み込み片（の裏面）と周囲の羽部（の表面）で、他方の羽部を挟み込むことを特徴とする包装容器ＩＩが望ましい。
包装容器ＩＩにおいて、挟み込み片の先端部より挟み込み片を形成する切り込み線の両端部につながるそれぞれの切り込み線上に、他方の羽部の上縁部と重なる位置があることを特徴とする包装容器ＪＪが望ましい。
包装容器ＩＩあるいは包装容器ＪＪにおいて挟み込み片の先端部から根元部に向かって、挟み込み片の間隔が広がるように設置されていることを特徴とする、内容物を出し入れできる包装容器ＫＫが望ましい。
包装容器ＩＩあるいは包装容器ＪＪあるいは包装容器ＫＫにおいて挟み込み片の先端部から根元部に向かって、挟み込み片の間隔が広がるように設置され、かつ他方の羽部の上縁部と重なる位置に向け、間隔が狭くなるように設置されていることを特徴とする内容物を出し入れできる包装容器ＬＬが望ましい。
包装容器ＩＩあるいは包装容器ＪＪあるいは包装容器ＫＫあるいは包装容器ＬＬにおいて、二つの羽部の両側に、別の相向かいあう二つの羽が内側に形成されていることを特徴とする包装容器ＭＭが望ましい。
相向かいながら互いに重なる部分を持つ二つの羽部で取り出し口を形成された包装容器において、一方の羽部に、切り込み線によって他方の羽部に向けた挟み込み片を形成し、当該挟み込み片と周囲の羽部で、他方の羽部を挟み込むことを特徴とする包装容器ＮＮが望ましい。
包装容器ＮＮにおいて、挟み込み片の先端部より挟み込み片を形成する切り込み線の両端部につながるそれぞれの切り込み線上に、他方の羽部の上縁部と重なる位置があることを特徴とする包装容器ＯＯが望ましい。
包装容器ＮＮあるいは包装容器ＯＯにおいて挟み込み片の先端部から根元部に向かって、挟み込み片の間隔が広がるように設置されていることを特徴とする、内容物を出し入れできる包装容器ＰＰが望ましい。
包装容器ＮＮあるいは包装容器ＯＯあるいは包装容器ＰＰにおいて挟み込み片の先端部から根元部に向かって、挟み込み片の間隔が広がるように設置され、かつ他方の羽部の上縁部と重なる位置に向け、間隔が狭くなるように設置されていることを特徴とする内容物を出し入れできる包装容器ＱＱが望ましい。
包装容器ＮＮあるいは包装容器ＯＯあるいは包装容器ＰＰあるいは包装容器ＱＱにおいて、二つの羽部の両側に、別の相向かいあう二つの羽が内側に形成されていることを特徴とする包装容器ＲＲが望ましい。
【発明の効果】
【００１８】
本発明を、スーパー等で市販されている通常のボックスティッシュの包装容器を例に説明する。
本発明は、通常包装容器の端側面の下フラップに切り込み線を入れ、「包装容器自体の弾力性、復元力」を利用し
、ワンプッシュ（ワンタッチ）でフラップの開閉ができるようにしたものである。
本発明が現在スーパー等で売られている大量のティッシュボックスの機能の一部に採用されると、従来捨てられていた包装容器を「詰め替え用包装容器」として「そのまま」利用でき、別途市販されている「詰め替え用包装容器」購入の必要がなくなる。
また包装容器外面に「宣伝」が印刷された「ノベルティー包装容器」は、消費者に繰り返し長く利用されることで、「宣伝効果」が持続され、消費者に長く使われることで、「宣伝効果」が大きくなる効果を受益できる。
【発明を実施するための最良の形態】
【００１９】
本発明を分かりやすくボックスティッシュの包装容器を例に説明する。  以下、図面を参照しつつ、本発明の実施の形態について説明する。
なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した場合を前提として用いるものとする。
【００２０】
〔第１の発明の実施の形態〕
図１は一般によく作られるボックスティッシュの展開図である。箱の端側面において、まず内フラップ（箱の各長側面から延びる１対のフラップＥ、Ｆ）が折り曲げられ、そのあと、外フラップ（箱の天面から延びる外フラップC C Cと、箱の底面から延びる外フラップD D Dの１対のフラップ）が折り曲げられ、この折り曲げられて互いに重ね合わせられた部分C C C D D D（図４に表示）の一部に、液状吹付ノリが塗布されて、箱が組み立てられる。
【００２１】
ただし、現在使い終わった包装容器を潰して廃棄しやすいよう、ノリの設置箇所はなるべく少なくされ、最少の設置箇所で構成されている。大手メーカーのものは、潰しやすいように、フラップの切り込み線が入れられていたりする。そうでないものは、端側面のフラップの左右の部分に、ノリが数か所入れられていて、フラップの中央部よりは、ノリが貼られていなく、フラップが中央部寄りに指を入れて、はがしやすくなっている。
【００２２】
大切なことは、外フラップC C Cおよび外フラップD D Dにおいて、一般的に外フラップC C Cが最も外側に位置しているということである。おそらく人間の無意識に感じる外観上の美観から判断がなされているのであろう。
さて、本願発明に置いて、もし、外フラップC C Cと外フラップD D Dの位置関係を逆にしても（つまり外フラップD D Dが最も外側に位置しても）美観上構わないという判断があれば、それでも構わない。それに伴って本実施形態に限らず以下記述する全ての発明の実施形態において、噛み合わせ用切り込みを入れるフラップの選択（下フラップから上フラップへの変更のこと）が外フラップD D Dから外フラップC C Cに変化させればいいだけである。
【００２３】
さて本論に入る。
図２には、外フラップD D Dの説明のために、外フラップD D Dのみが、底面の折線を軸に、天面に向かって折曲げられた図が示されている。
また辺（D D１―C C１）上の２点ｐ１、ｐ２より一対の切り込み線（Ｐ１ＰＰ１）と切り込み線（Ｐ２ＰＰ２）が入れられている。この切り込み線が重要な意味を持つ。
図４ではこの切り込み線が向かって「八」の字状になっている。このほうがワンプッシュで開閉できるという発明の効果が高いが、「八の字の逆さまの形状」でも、切り込み線になっていればかまわない。ただしこの切り込み線で作られる舌片の根元部の強度が弱まる可能性がある。
【００２４】
またこの場合、舌片が頭でっかちになり、ワンプッシュで上下フラップが噛み合いにくくなり、不都合が生じる可能性がある。また無理に噛み合わさったとしても、次にワンプッシュで開こうとした場合、頭でっかちの形状からなかなか噛み合ったフラップが、はずれにくくなる可能性がある。
【００２５】
さてこのことをもう少し先走って論じよう。このことが本発明の究極に近いことになるが、ワンプッシュで開閉できるということは、裏を返せば、少しの衝撃で、噛み合ったフラップが外れやすいということである。これは弱点になる場合がある。
このことからいえば、小生は、ワンプッシュで開閉しやすいという「八」の形状と、ワンプッシュですぐには開閉しにくい、つまり「適度に」開閉しにくい「八の字の逆さまの形状」を併せ持った形状、つまり、図２７の形状が優れていると思う。
この形状は、フラップがワンプッシュで、挟みこまれやすくなると同時に、舌片の根元部から舌片先端部に向けて舌片の左右方向の幅が大きくなり、その結果上フラップが舌片から外れにくくなる。つまり外れにくくなるが、さらに力を少し入れれば、なんとかワンプッシュで開く。フラップが外れるという構造である。この設計は本発明を必要とする商品の、商品の理想形、求められる内容による。
カートンの素材の弾力性、反発力、またフラップの重なり合った部分の長さ等を考慮し、実験の上、細かい形状を決定すればいいであろう。
【００２６】
さて本論に戻ろう。
この舌片に関して申し上げると、要は切り込み線を挟む2つの部分（舌片と舌片以外の他の部分）を分ける切り込み線が割れて、下片が比較して上方に位置すればいいのである。
この図で示される「八」の字状に入れられた切り込み線と下フラップの上縁部で作られる部分は、いわゆる舌片である。この舌片は後述するが、下フラップの上に上フラップを重ねて、舌片の上あたりの上フラップを指で強く押すと、下フラップの切り込み線が割れて、上フラップの上縁部が、この切り込み線に「自動的に」挟みこまれやすくなるが、前もって、この舌片を手前に引き上げ、よりこの切り込み線が開きやすくなり、そのことで上フラップの上縁部が挟みこまれやすくすることが包装容器の材質により補助的に必要な場合もある。またそのために、舌片の根元部に折線を入れていたほうが有効な場合もある。
【００２７】
また詳しく説明すると、この上下フラップの重なり部分の長さ、直線（Ｃ１―ＣＣ１）が重要である。たまたま、小生の実験では、図２、図３及び図４、図５の場合は、実験した包装容器の厚さおよび材質によりうまくいったが、長すぎる場合は、後述するように調整（下フラップの長さを実質上短くし、上下フラップの重なる部分の長さを短くする）するための「切り込み線」を入れたり、思い切って下フラップの中央部等に、３辺の切り込み線で作られる舌片を入れたりする必要がある。
【００２８】
舌片ではこの八の字の形状がすぐれている。というのは、舌フラップ上縁部に位置するｐ１とｐ２の間隔が長くなると、上フラップＣＣＣの上縁部が舌片で分けられる切り込み線の間に滑り込むのに、フラップＣＣＣをより強い力で指で押さなければならない。また当該状態で、ｐｐ１とｐｐ２の間隔が短くなると、ｑ３（舌片）自体の反発力が弱くなる可能性がある。ズバリ図２の状態程度が一般的に一番使いやすい構造であると思う。
【００２９】
図３には外フラップD D D（下フラップ）の上からさらに外フラップC C C（上フラップ）が折曲げられた内容が示されている。このとき、一般に消費者がボックスティッシュを入手したときの形である。もちろんこのとき中にはティッシュが入っている。目に見えない部分（下フラップ上縁部）は点線であらわされている。
【００３０】
図４は図３の内容に加えて、外フラップC C C（上フラップ）の下に位置する外フラップD D D（下フラップ）の位置内容が詳述され、点線で分かるように示されている。
【００３１】
図５は図４の点ｑ１を指で押して外フラップD D Dの一部で外フラップC C Cにより隠れていてかつ、切り込み線、ｐ１ｐｐ１とｐ２ｐｐ２で挟まれた部分ｑ３（舌片）が最外面に露出した内容が示されている。
【００３２】
図６は外フラップC C Cの一部ｑ１を外から強く指で押したとき、外フラップC C Cが変形し、天面方向に湾曲した内容が、示されている。本来直線の辺（D１―C１）が変形し、湾曲線（D１―C１）となり、点Ｓ１及び点Ｓ２で外フラップD D D（下フラップ）を外側から強く押していて、図６で言うと点Ｓ１及び点Ｓ２で、下フラップ上縁部が上から下に強く押されているのがよく分かる。このことはすなわち、外フラップD D D（下フラップ）がその力に対する反作用として、強い力で反発している。
矢印は単に変化する様子を示す矢印である。端側面の辺、直線（Ｄ−C）も押される力で湾曲させられていて、湾曲線（Ｄ−Ｃ）になっている。
【００３３】
また詳述すると、内フラップが「縦軸の折線」を軸に存在しているので、内フラップが押さえに対し強い抵抗になり、箱の端側面の左右の端部分に強い抵抗が発生し、箱の中央部よりが内フラップの折線（根元部）がない分、内フラップからの抵抗が少ないので、箱の中央部よりが、より押し曲げられやすくなり、箱の中央部分がより大きく湾曲しやすくなる。このことから舌片自体は、端側面の左右両端部より、中央寄りのほうが、上フラップ上縁部が切り込み線の間に挟み込まれやすいと言え、より小さい力でも、簡単にワンプッシュ自動開閉が可能になると言える。
つまり、端側面においては、端側面の左右方向上下方向とも、それぞれ中ほど、つまり中央部寄りを指で押すと、上下フラップが一番湾曲して、奥にへこみやすくなっていると言える。
【００３４】
さて、このことにより外フラップD D Dの部分であるＰ１ＰＰ１ａとＰ１ＰＰ１ｂが切り込み線Ｐ１ＰＰ1を境に強い力で分断されることになる。つまり、切り込み線Ｐ１ＰＰ１が口を開けて大きく割れていることが分かる。
【００３５】
図７では指で強くｑ１を押していた状態から、指で押すことをやめ、外フラップC C Cの自らの弾力性と復元力で図５の状態に戻り、その際、外フラップC C Cが口を開けて大きく割れている切り込み線ｐ１ｐｐ１の間に挟まれ、ｑ３が外面に露出した内容が示されている。当然同じ内容が切り込み線Ｐ２ＰＰ2に置いてもいえる。矢印で湾曲線（Ｄ１―Ｃ１）から直線（Ｄ１―Ｃ１）への変化が分かる。おなじことは、湾曲線（Ｄ−Ｃ）から直線（Ｄ−Ｃ）への変化にも言える。ここでの矢印は、単に変化する様子を示す矢印である。
【００３６】
図８では図７の状態からｑ２を強く指で押した状態の、外フラップへの力（ベクトル）が示されている。この矢印はベクトルであるので注意。
【００３７】
図９ではまさに外フラップD D Dが強く変形した内容が示されており、切り込み線ｐ１ｐｐ１が外フラップC C Cとの結合から外れたばっかりの、一瞬の状態が示されている。矢印でその変化が分かりやすく示されている。
下フラップの上縁部である直線（ＤＤ１-ＣＣ1）が下フラップに外側から強い力を加えられたことにより、湾曲線（ＤＤ１-ＣＣ1）に変化し、切り込み線Ｐ１ＰＰ１の位置も少し下がって表面に見えるようになっている。そして今まで挟まれていた上フラップの上縁部がまさにこの切り込み線から外れようとしている。またこのとき前述の舌片の根元部に最も力が作用していることは理解いただきたい。この部分の力に舌片自体が耐えられることが必要である。
また断っておきたいのは、ここでの矢印は、変化する様子を示す矢印であって、ベクトルではない。
今まで切り込み線ｐ１ｐｐ１について説明してきたが、切り込み線ｐ２ｐｐ２についても全く同様のことが言える。
図１０は図８のｑ２を押していた指を離した状態が示されている。この状態は図４の状態と全く同じである。
【００３８】
消費者は、ティッシュを詰め替えて図４および図６の状態から出発し、図７の状態でワンタッチ（ワンプッシュ）で外フラップのセット完了。そして中に詰め替えたティッシュが消費されてなくなると、図８の状態から外フラップをワンタッチ（ワンプッシュ）で開封し、再度ティッシュを詰め替えて、またワンタッチ（ワンプッシュ）で外フラップのセット完了（図４および図６から図７迄）となる。
従来、のりで再度貼り合わせたり、テープで貼り合わせた作業が、購入したティッシュボックスの包装容器をそのまま利用し、詰め替え用包装容器とすることができる。
つまり、包装容器の素材自体の弾力性、反発力を利用し、また包装容器のフラップ等の構成要素から生まれる弾力、反発力を利用し、ワンプッシュで、簡便に舌片を利用した、開閉自動容器が完成したことになる。
【００３９】
また少し、この舌フラップの舌片とその他の部分が、上フラップを挟み込む方法を詳述すると、舌片の裏面と、下フラップのその他の部分の表面で、上フラップを挟み込むことがお分かりいただけると思う。
【００４０】
このワンタッチ（ワンプッシュ）の開閉スイッチは、詰め替え用包装容器単独として利用できる。またティッシュボックスだけでなく、他のいろんな商品の包装容器にも利用できる。
またこの一対の切り込み線、Ｐ１ＰＰ１とＰ２ＰＰ２は、１対に限らず複数設けてもいい。また包装容器の弾力性、復元力により、サイズや大きさ位置等を調節すると、より大きな効果を得られる。
【００４１】
〔第２の発明の実施の形態〕
図１１では上縁部が直線ではなく曲線になっている。
この場合でも本願発明の効果は変わらない。よっていろんな形をしたフラップでの開閉スイッチが構成できる。
記号表示は第一の発明の実施の形態と同じものを援用する。この援用の原理は以下すべての実施例に置いて適用するものとする。
〔第３の発明の実施の形態〕
【００４２】
図１２と図１３には上下フラップの長さ（Ｄ-Ｄ１）が半フラップより少し長い場合のストッパー（Ｍ）の作り方が示されている。図１２には下フラップのみ示されている。図１３には上下フラップが噛み合った場合の図が示されている。この場合、上下フラップの重なり合った部分の包装容器の高さ方向への長さが長すぎて、ワンプッシュで開閉するには無理がある。但し誤解しないでほしいが、図６で示されている、Ｓ１およびＳ２で強く上フラップの上縁部が下フラップの上縁部を押している状態は、基本的にはこの場合でも下フラップ上縁部ではないが、下フラップに同じような力が加えられ発生しているということである。確かに上下フラップの上縁部同士が押し合っている状態ではなく、下フラップの中央部（舌片の少し上部分）を上フラップの上縁部で押しているので、大きな力で若干押しにくいということは相違するが、切り込み線Ｍで作られる舌片の上縁部が下フラップからフラップ外側に、「押し出される」ことにつながり、舌片の切り込み線部分が「割れて」、上フラップの上縁部が、この切り込み線に挟みこまれやすくなることは同じである。もし分かりにくい方がいらっしゃれば、下フラップの材質をコピー用紙で考えると、薄いコピー用紙は、小さな力にもすぐ変形するので理解しやすい。
【００４３】
しかし、実際の包装容器は、もっと厚いカートン等である。コピー用紙より力に対しその影響が表れにくい。
小生は、ここで補助切り込み線を入れることにした。
【００４４】
図２５を見てほしい。図２５には舌片先端部（包装容器天面に近い部分）から下フラップの上縁部に向かって、１本の切り込み線ＭＭＭＭがいれられている。このことで、図６で示されている条件に近くなった。といのは、下フラップの中央部（舌片の少し上部分）を押す力は、切り込み線ＭＭＭＭを境に、向かって左（ＭＭＭＭ１）あるいは右（ＭＭＭＭ２）に分かれることが多い。（切り込み線ＭＭＭＭの真上を押せば別であるが）
【００４５】
よって、切り込み線ＭＭＭＭが入らない場合に比べて、ＭＭＭＭの「部分」であるＭＭＭＭ１あるいはＭＭＭＭ２には「すべての力が分離された部分に加えられる」ので、分離された部分には、全体の力が加わることになるので、切り込み線ＭＭＭＭが入らない場合に比べて、倍の力が加わることになる。
よって、舌片を形成する切り込み線の間がより広がりやすくなる。（いいかえると割れやすくなる。）
そして、舌片の一方の切り込み線に上フラップの上縁部が滑り込むと、そのまま他方の切り込み線にも滑り込み、上縁部が舌片で挟まれることになる。
【００４６】
図２６を見てほしい。
図２５では上縁部まで入れられていた切り込み線ＭＭＭＭが上縁部まで届いていない切り込み線ＭＭＭＭＭになっている。
この場合にも、図２５で説明した「舌片を形成する切り込み線の間が広がりやすくなる」効果がある。
これはあくまでも舌片の上部近くを指で押したとき、その効果が大きくあらわれるが、舌片の上部分ＭＭＭＭＭ１１あるいはＭＭＭＭＭ２２が下に沈み、その分舌片が上に位置することになり、その部分に対応する切り込み線が広がり、割れて、上フラップの上縁部が滑り込みやすくなる。この場合は、図２５に比べて、下フラップがティッシュへのハイスピード機械によるティッシュ封入作業の時、下フラップ上縁部に切れ目がなく、ハイスピード機械の作業が安定する利点がある。切り込み線ＭＭＭＭＭは複数入れても構わない。
【００４７】
さてここで、さらに人為作業で、舌片に上フラップ上縁部が挟まれやすい方法を語ろう。
図１２に示されるように下フラップの中央部に台形の形をした３辺の切り込み線（Ｍ）を入れてある。この切り込み線（Ｍ）が、図２で示されるＰ１ＰＰ１ｂの舌片の役割を果たす。（この舌片は手前側つまり包装容器の外側に倒しておくことが、舌片効果（上フラップを舌片に挟みこむ）として有効である。またさらにこのとき注意しなければならないのは、舌片の根元部から上縁部までの長さである。この長さ（図１２でみると高さ）は包装容器の材質により、弾力、反発力が異なるので、適正な長さを実験により決める必要がある。
【００４８】
図１４と図１５には、舌片が半円形のものが示されている。この場合でも図１２および図１３の場合の舌片の効果は変わらない。否、舌片の形が円形で、柔らかいイメージになり、優れていると思う。また上フラップの上縁部も丸いこの切り込み線に挟まれやすくなり、すぐれていると思う。
〔第４の発明の実施の形態〕
【００４９】
また図１２および図１３また図１４および図１５の場合、図２２および図２３に示されるように、下フラップを切り取り線ＭＭＭで切り取るという方法がある。そうすると、上下フラップの重なり合った部分の包装容器の高さに沿った長さ、つまり切り取り線ＭＭＭと直線（Ｄ１−Ｃ１）の幅が適正長さとなる。切り取った後の舌片で作られるワンプッシュ開閉フラップの効果は、図４および図５と全く変わらない。つまり、舌片を構成する切り取り線（切り込み線）が舌片の少し上部である上フラップを押しただけで自然に開かれて、上フラップが舌片に挟みこまれやすくなる。
〔第５の発明の実施の形態〕
【００５０】
図１６および図１７には、切り込み線Ｍが下フラップ上縁部から始まり下フラップ上縁部で終わっている。図４および図５にくらべると、舌片の基本構造は変わらない。舌片とその他の下フラップが、１本の切り込み線で分けられている図４および図５に対して、図１６および図１７は２本の切り込み線で分けられていて、舌片と下フラップの間に少し空間があるだけである。考えようによっては、空間があるので上フラップが舌片により挟みこまれやすくなるともいえる。ただしこの空間が広すぎると、上フラップを上下面から挟み込む力の位置に空間がありすぎて、結果上フラップを挟みこむ力が弱くなることにつながる。
【００５１】
また図１７に示されるように。上フラップの上縁部が１本の直線でなく、上縁部の長さに変化（図１７の場合、２段階）がある場合でも、上下フラップの噛み合わせがうまくいっている場合の例示となっている。
ここで、舌片を形成する切り込み線と上フラップの上縁部との関係を少し論じよう。この舌片を形成する切り込み線状に、上フラップの上縁部がない場合、つまり重ならない場合、無理に上フラップの上縁部をこの舌片に差し込むと、上フラップが、舌片の切り込みを支点に浮き上がってしまい、上フラップと包装容器との間に隙間ができて良くない。あくまでも、舌片を形成する切り込み線に上フラップの上縁部が重なることが大切である。
〔第６の発明の実施の形態〕
【００５２】
図１８および図１９には、舌片の先端部が下フラップの上縁部より少し低くなっている。このことで、図１６および図１７より、少しの力で上フラップが舌片に挟みこまれやすくなっている。つまり図１８および図１９では図１６および図１７より、簡単に上フラップが舌片で挟みこまれることになる。いいかえると、図１６および図１７では、図１８および図１９より、より強く上フラップを指で押さないと舌片に挟みこまれない。
さて、図１９に示されるように、上フラップの上縁部が舌片の根元部まで届いていないと、取り出し口のフラップの蓋に穴が開くことになるので、注意が必要である。
〔第７の発明の実施の形態〕
【００５３】
図２０及び図２１には、舌片の根元部に折線が入れられている。これは補助的に。舌片を手前に引き上げるとき、その行為の必要性を消費者にＰＲすることに役立つ。また舌片がより手前側（包装容器外側）に倒しやすくなる。
〔第８の発明の実施の形態〕
【００５４】
図２４は例示して説明してきたティッシュ以外の内容物の包装容器が示されている。この場合、薬、ケーキ等である。この場合、両フラップの重ね合わせ部分Ｓ３３には最初からノリ貼りがない使い方ができる。よって開閉しても奇麗な包装容器である。但しこの包装容器で薬等を出荷する場合は、ティッシュのようにノリ貼りがある場合もある。いずれにしても、このワンプッシュ開閉フラップ付包装容器を利用すると、ワンプッシュでフラップが開閉で来て便利である。通常薬包装容器の場合、キャラメル箱が利用されている場合が多いが、蓋の差し込み部分を外してという工程と、蓋をあけてという工程と、作業量が２倍になり、開閉に面倒である。
本願発明は「包装容器自体の内フラップ等の構造的、またフラップ自身の自体の弾力性を利用し」、「指１本で押すことで、つまり単なるワンプッシュで連続して開閉できる」利点がある。
付け加えると、押すことは一番楽な作業である。指先をフラップにぶつけるだけである。
連続して開閉する時も、単に指を繰り返し突くだけということでシンプルで楽である。
（引くことは、何かを指で掴まえるという作業と、また手を引くというダブルの作業が必要になり、倍の労力と作業が必要である）
図ではＳ１が上フラップ、Ｓ２が下フラップ、Ｓ３が舌片にあたる。
〔第９の発明の実施の形態〕
【００５５】
第一の発明の中でも論じたが、図２７及び図２８の舌片の形状が優れている。図２７は、上フラップの下で下フラップみえなくなり、舌片の切り込み線の形状が点線で示されている。また図２８は切り込み線に上フラップが挟まれた状態を示す図である。さてこれらの図では、切り込み線において、点ｑ５５および点ｑ６６を境に、切り込み線の形状が変化している。つまり前述したが、「八」の字形状と、さかさまの形状にこの点を境に変化している。この舌片の形状で、ワンプッシュで開閉しやすいという「八」の形状と、ワンプッシュですぐには開閉しにくい、舌片が頭でっかちであるという形状、つまり「適度に」開閉しにくい「八の字の逆さまの形状」を併せ持った形状、つまり、図２７の形状であり、優れていると思う。
この舌片の形状は、フラップがワンプッシュで、挟みこまれやすくなると同時に、フラップが外れにくく、さらに力を入れれば、なんとかワンプッシュで開く。フラップが外れるという構造である。この設計は本発明を必要とする商品の、商品の理想形、求められる内容による。
カートンの素材の弾力性、反発力、またフラップの重なり合った部分の長さ等を考慮し、実験の上、細かい形状を決定すればいいであろう。
またもっと詳述すれば、この図２７の形状で、舌片の根元部で、上フラップの上縁部との交点２点間の距離が、舌片の頭方向（図では上方向）に向かって、広がっていることがポイントである。
このことで、ボックスティッシュの置き場所を部屋から部屋に移動するとき等に、カートンを手に持っても、簡単にはフラップの噛み合わせが外れないように設定できる。
〔第１０の発明の実施の形態〕
【００５６】
図２９には全フラップの場合のアレンジが示されている。ｒ２は差し込み用切り込み線である。この場合、いままで述べてきた、下フラップ舌片の裏面で上フラップを挟み込む方法とは、逆である。上フラップに切り込み線（「ｒ１」で作られた舌片（ｒ０）を下フラップに作られた、差し込み口（ｒ２）に差し入れるという方法である。この場合、上フラップの舌片の表面と下フラップの裏面で挟まれることにより、上下フラップが挟みこまれることともいえる。
ただこの場合、ワンプッシュで上下フラップが開閉するという利便性は少ないと言える。
一般的には、舌片を差し込み口に差し込むことで上下フラップが挟みこまれるというように理解される場合が多いであろう。
これはこれで優れている。
図３０は上フラップの差し込み用舌片形成用切り込み線ｒ１が示されている。
図３１は実際上フラップの舌片０を差し込んだものの外観図である。
【００５７】
図３２、図３３、図３４は、舌片の形状が図３０に比べて、上下対称になったものである。
この場合の効果は、一度差し込んだ舌片が、外しやすいということである。というのは、舌片の根元部が上方向にあり、上フラップの根元部が上方向にあることで、舌片が外しやすくなる。一方図３０では上フラップの開閉方向（根元部が上方になる）と舌片の開閉方向（根元部が下方向にある）とが相違するので、外しにくさがより強まっている。
結局、図３０と図３３とも、差し込むときはいいが、ワンプッシュで外しにくいという弱点は変わらない。つまり言いかえれば、「噛み合わされた上下フラップが外れにくい」という長所が生まれる。だからその点では優れている。
包装容器の求められる内容に応じて内容を消費者が選択すればいい。
【００５８】
本発明の実施の形態は、上述したものに限定されない。包装容器の形状は任意であり、必ずしも直方体に限られない。形状は任意であり、キャラクターを抜いた複雑な形状でもかまわない。フラップの形状は長方形にも限定されない。三角形でも、円形でも構わない。また噛み合わせ用切り込み部分は１つに限られない。複数あってもかまわない。またボックスティッシュの材質は、プラスチックの様なものでも構わない。力を加えて変形し弾力があるものであれば何でも構わない。材質は任意である。また噛み合わせ用切り込みが設置されるフラップは、説明図では１箇所であるが、両端部の２箇でも構わない。上面や底面に用いても構わない。側面に用いても構わない。本願発明の包装容器に内包される内包物はティッシュに限定されない。食品でも薬品でも構わない。内包できるものであれば、すべての内包物が対象である。
【図面の簡単な説明】
【００５９】
【図１】第１の発明の実施の形態を例示説明するためのボックスティッシュの展開図である。
【図２】第１の発明の実施の形態を説明する図である
【図３】第１の発明の実施の形態を説明する図である
【図４】第１の発明の実施の形態を説明する図である
【図５】第１の発明の実施の形態を説明する図である
【図６】第１の発明の実施の形態を説明する図である
【図７】第１の発明の実施の形態を説明する図である
【図８】第１の発明の実施の形態を説明する図である
【図９】第１の発明の実施の形態を説明する図である
【図１０】第１の発明の実施の形態を説明する図である
【図１１】第２の発明の実施の形態を説明する図である
【図１２】第３の発明の実施の形態を説明する図である
【図１３】第３の発明の実施の形態を説明する図である
【図１４】第３の発明の実施の形態を説明する図である
【図１５】第３の発明の実施の形態を説明する図である
【図１６】第５の発明の実施の形態を説明する図である
【図１７】第５の発明の実施の形態を説明する図である
【図１８】第６の発明の実施の形態を説明する図である
【図１９】第５の発明の実施の形態を説明する図である
【図２０】第７の発明の実施の形態を説明する図である
【図２１】第７の発明の実施の形態を説明する図である
【図２２】第４の発明の実施の形態を説明する図である
【図２３】第４の発明の実施の形態を説明する図である
【図２４】第８の発明の薬、食品等の包装容器の発明の実  施の形態を説明する図である
【図２５】第３の発明の実施の形態を説明する図である
【図２６】第３の発明の実施の形態を説明する図である
【図２７】第９の発明の実施の形態を説明する図である
【図２８】第９の発明の実施の形態を説明する図である
【図２９】第１０の発明の実施の形態を説明する図である
【図３０】第１０の発明の実施の形態を説明する図である
【図３１】第１０の発明の実施の形態を説明する図である
【図３２】第１０の発明の実施の形態を説明する図である
【図３３】第１０の発明の実施の形態を説明する図である
【図３４】第１０の発明の実施の形態を説明する図である
【符号の説明】
【００６０】
Ａ：ボックスティッシュの天面の角
Ｂ：ボックスティッシュの天面の角
Ｃ：ボックスティッシュの天面の角
Ｄ：ボックスティッシュの天面の角
Ｅ：ボックスティッシュの内フラップ
Ｆ：ボックスティッシュの内フラップ
ＡＡ：ボックスティッシュの底面の角
ＢＢ：ボックスティッシュの底面の角
ＣＣ：ボックスティッシュの底面の角.
ＤＤ：ボックスティッシュの底面の角
Ｃ１：天面より延びるフラップの角
Ｄ１：天面より延びるフラップの角
ＣＣ１：底面より延びるフラップの角
ＤＤ１：底面より延びるフラップの角
ＣＣＣ：天面より延びるフラップ
ＤＤＤ：底面より延びるフラップ
Ｎ１：液状ノリ吹き付け部分
Ｎ２：液状ノリ吹き付け部分
Ｐ１ＰＰ１：底面より延びるフラップに上縁部より入れられた切り込み線
Ｐ２ＰＰ２：底面より延びるフラップに上縁部より入れられた切り込み線
Ｐ１ＰＰ１ａ：底面より延びるフラップに上縁部より入れられた切り込み線で区切られるフラップの一部分
Ｐ１ＰＰ１ｂ：底面より延びるフラップに上縁部より入れられた切り込み線で区切られるフラップの一部分（舌片部）
Ｐ２ＰＰ２ａ：底面より延びるフラップに上縁部より入れられた切り込み線で区切られるフラップの一部分
ｐ１：底面より延びるフラップに上縁部より入れられた切り込み線の端点（辺ＤＤ１ＣＣ１につながる）
ｐｐ１：底面より延びるフラップに上縁部より入れられた切り込み線の端点（フラップＣＣＣの辺Ｄ１Ｃ１の位置まで延びる）
ｐ２：底面より延びるフラップに上縁部より入れられた切り込み線の端点（辺ＤＤ１ＣＣ１につながる）
ｐｐ２：底面より延びるフラップに上縁部より入れられた切り込み線の端点（フラップＣＣＣの辺Ｄ１Ｃ１の位置まで延びる）
辺（Ｃ１―Ｄ１）：天面より延びるフラップＣＣＣの長辺（上縁部）
辺（ＤＤ１―ＣＣ１）：底面より延びるフラップＤＤＤの長辺（上縁部）
ＣＣＣＤＤＤ：天面より延びるフラップＣＣＣと底面より延びるフラップＤＤＤで重なる部分 
湾曲線（Ｄ―Ｃ）：本来直線であるべきＤＣがＱ１に力が加えられたことにより、フラップが湾曲し、それとともに湾曲した辺（折り線）ＤＣ
湾曲線（Ｃ１―Ｄ１）：本来直線であるべきＣ１Ｄ１がｑ１に力が加えられたことにより、フラップが湾曲し、それとともに湾曲した辺
ｑ１：フラップＣＣＣ上に力が加えられるポイント
ｑ２：フラップＤＤＤ上に力が加えられるポイント
ｑ３：フラップＤＤＤ上で、切り込み線Ｐ１ＰＰ１と切り込み線Ｐ２ＰＰ２で挟まれた部分
湾曲線ＤＤ１ＣＣ１：本来直線であるべきＤＤ１ＣＣ１がｑ２に力が加えられたことにより、フラップが湾曲し、それとともに湾曲した辺ＤＤ１ＣＣ１
ＤＤＮ１：波線上のフラップ上縁部の端点
ＤＮ１：波線上のフラップ上縁部の端点
ＣＣＮ１：波線上のフラップ上縁部の端点
ＣＮ１：波線上のフラップ上縁部の端点
Ｍ：下フラップに設けられた切り込み線（舌片）
Ｍ１：下フラップに設けられた切り込み線で上縁部に当る
Ｎ：舌片部の上縁部
ＯＬ：舌片部の折線
ＭＭＭ：下フラップの切り取り線
Ｓ０：薬品、食品等の包装容器
Ｓ１：開閉フラップ
Ｓ２：開閉フラップ
Ｓ３：開閉フラップ用舌片
Ｓ１１：開閉フラップ
Ｓ２２：フラップ上縁部
Ｓ３３：フラップ上縁部
ＭＭＭＭ：切り込み線
ＭＭＭＭ１：切り込み線で分けられた部分
ＭＭＭＭ２：切り込み線で分けられた部分
ＭＭＭＭＭ：切り込み線
ＭＭＭＭＭ１：切り込み線で分けられた部分
ＭＭＭＭＭ２：切り込み線で分けられた部分
ｑ５５：舌片を形成する切り込み線状の屈折点
ｑ６６：舌片を形成する切り込み線状の屈折点
ｒ０：舌片
ｒ１：舌片を形成する切り込み線
ｒ２：舌片を差し込むための切り込み線
【図１】
2013082497.tif 000003
【図２】
2013082497.tif 000004
【図３】
2013082497.tif 000005
【図４】
2013082497.tif 000006
【図５】
2013082497.tif 000007
【図６】
2013082497.tif 000008
【図７】
2013082497.tif 000009
【図８】
2013082497.tif 000010
【図９】
2013082497.tif 000011
【図１０】
2013082497.tif 000012
【図１１】
2013082497.tif 000013
【図１２】
2013082497.tif 000014
【図１３】
2013082497.tif 000015
【図１４】
2013082497.tif 000016
【図１５】
2013082497.tif 000017
【図１６】
2013082497.tif 000018
【図１７】
2013082497.tif 000019
【図１８】
2013082497.tif 000020
【図１９】
2013082497.tif 000021
【図２０】
2013082497.tif 000022
【図２１】
2013082497.tif 000023
【図２２】
2013082497.tif 000024
【図２３】
2013082497.tif 000025
【図２４】
2013082497.tif 000026
【図２５】
2013082497.tif 000027
【図２６】
2013082497.tif 000028
【図２７】
2013082497.tif 000029
【図２８】
2013082497.tif 000030
【図２９】
2013082497.tif 000031
【図３０】
2013082497.tif 000032
【図３１】
2013082497.tif 000033
【図３２】
2013082497.tif 000034
【図３３】
2013082497.tif 000035
【図３４】
2013082497.tif 000036